(57)【特許請求の範囲】
【請求項１】
表面シート材と、釘やネジを使用することが可能な硬い素材が使用された下地板と、畳床とが上からこの順で積層されてなる畳床フロアであって、表面シート材と下地板は貼着されており、前記表面シート材は、前記畳床の少なくとも側面に固定するために、前記下地板と貼着した際に下地板からはみ出した部分を有しており、前記畳床の表面と前記下地板の裏面は固着されていないことを特徴とする畳床フロア。
【請求項２】
前記畳床が上からボード、発泡素材、ボード、裏シートの四層構造であることを特徴とする請求項１に記載の畳床フロア。
【請求項３】
前記畳床が上から薄板、発泡素材、裏シート、又は、上から裏シート、発泡素材、薄板の三層構造であることを特徴とする請求項１に記載の畳床フロア。
【請求項４】
前記畳床裏面に裏面シート材が設けられていることを特徴とする請求項１〜３のいずれかに記載の畳床フロア。
【請求項５】
前記畳床の裏面に防災グッズ用収納凹部が設けられていることを特徴とする請求項１〜４のいずれかに記載の畳床フロア。
【請求項６】
前記表面シート材と裏面シート材の少なくともいずれかに防炎加工が施されていることを特徴とする請求項１〜５のいずれかに記載の畳床フロア。
【請求項７】
前記畳床と裏面シート材の少なくともいずれかに把持部を設けたことを特徴とする請求項１〜６のいずれかに記載の畳床フロア。
【請求項８】
前記畳床フロアの所定箇所に必要事項記載欄が設けられていることを特徴とする請求項１〜７のいずれかに記載の畳床フロア。
【請求項９】
前記畳床の所定位置に畳床を互いに連結するための連結手段が設けられていることを特徴とする請求項１〜８のいずれかに記載の畳床フロア。
【請求項１０】
請求項１〜９のいずれか一項に記載の表面シート材であって、表面に柄が設けられたことを特徴とする表面シート材。
【請求項１１】
前記表面シート材の柄に、蓄光剤を設けたことを特徴とする請求項１０に記載の表面シート材。
【発明の詳細な説明】
【技術分野】
【０００１】
本発明は、畳床に固着されていない下地板と下地板に貼着される表面シート材を備えた畳床フロア及びそれに用いる表面シート材に関するものである。
【背景技術】
【０００２】
日本の風土に合った畳は、今までほとんど全ての家屋において使われている。そして、それが当たり前と思われて来たが、生活が洋風化している事に加え、ダニが発生するなどの問題も起こり、和室から畳が、どんどん無くなり、フローリングを貼った洋室に変わってきている。
【０００３】
しかし、リフォーム工事をして洋室に変えてしまうと、和室の方が、良かったと思っても、なかなか元には戻せない。だが、畳床を使い洋室を作れば、いつでも簡単に和室に戻す事が可能である。すでに、畳床にクッションフロアなどの表面シート材を縫着させ洋室に変える方法はある。この方法を利用すれば、クッションフロアなどの表面シート材をいぐさ表の変わりに縫着するだけで簡単に洋室に変える事が出来る。又、クッションフロアなどの表面シート材をいぐさ表に張り替えるだけで和室に戻す事も出来る。しかし、クッションフロアの使用方法は、床に接着剤を塗り貼り付ける様に作られている為、貼着せず使用すると歪みが出る。又、強度にも問題が出る。
【０００４】
床材としてのフローリングにも畳より劣る所は有る。それは、防音効果と保温効果が劣る点である。又、キズが付いてもなかなか直せない。しかし、施主が畳よりフローリングを望むのであれば畳を洋風化させる方法を考えるべきである。ベースが畳床であれば、いつでも、いぐさ表の畳に戻す事が出来る。又、和室の無い家でも畳を使って頂くには、洋室でも使用出来る使い勝手の良い畳を作るべきである。畳を使って頂く方法を考えなければ畳が減少する現状を食い止めることは出来ない。
【０００５】
昨今、ゲリラ豪雨や地震による津波や竜巻などの災害がいつ何処に起こるか分からない。災害発生時、畳を役立たせる方法がないかを考えた時、畳床には素材の殆どが発泡素材で出来ている物があり水に浮く、それを利用すれば、微力ではあるが防災用品として役立つ可能性があるが残念ながら現時点では防災用品として畳は利用されていない。畳を防災用品にするメリットとして畳は身近な部屋で使用されており、保管場所を新に作る必要が無い事である。
【０００６】
畳をもっと魅力ある物にできれば、また畳の需要が増える可能性が有るのではないだろうか。畳には、大きさ、厚さ、重さ、素材に決まりが無い、よってかなり自由に加工が可能である。したがって、洋室にも自由に置ける畳を製造する事も可能である。すでに洋室に置ける、置き畳は製造されている。しかし、部屋の一角に置く物やサイズの決まった物がほとんどで、部屋の寸法に合わせて作られた物は、洋室を和室として使える様に変更であり、各畳で設置場所が決まっており、自由に並べて使える様には製造されてない。
【０００７】
畳表にクッションフロアなどのシート材を使用すれば、畳にいろいろな柄を施す事が可能になる。１枚単位で簡単に貼り替えが出来る畳で、部屋の模様替えが出来る様になり、シート材を作る企業の協力を得る事が出来れば、使用している柄に飽きたらいつでも貼り替えが出来る畳になる。この方法で、今までの畳のイメージを変えた畳は残念ながら存在しない。そのため、畳を利用した床材についての記載がある。例えば特許文献１、特許文献２参照。
【先行技術文献】
【特許文献】
【０００８】
【特許文献１】実用新案登録第３０７８７６４号公報
【特許文献２】特開２００５−１８００２３号公報
【発明の概要】
【発明が解決しようとする課題】
【０００９】
解決しようとする課題は洋風化してきた生活に合わせられる畳をいかにして製造し、提供するが事が出来るかである。それには、和室の畳を洋室の床の様に変更する事が出来るかである。そして、リフォーム工事をして洋室にするより畳を使って洋室にした方が良いと思ってもらえる畳を作る事が出来るかである。畳床を使用して和室を洋室に変える方法として考えられる方法は、畳床にクッションフロアなどのシート材を縫着させる方法である。しかし、いぐさ表と同じ方法で縫着させると問題が起こる。畳の製造方法は、畳床にいぐさ表の片側を縫着させ、反対側は、引っ張って弛みを取り縫着させる。しかし、クッションフロアは引っ張られる様には作られていない為、歪みが出る。しかし、引っ張らずに畳床に縫着すれば弛みが出る。元々、貼着して使用する様に作られている為、強度にも問題が起こる。そこで、クッションフロアに出る歪みを無くし、元々の強度を出すにはどうすれば良いかである。その点を解決したフロアを提供することを課題とする。そこで、クッションフロアを貼着して使用する為に必要となるのが下地板である。尚、下地板は畳床に固着させずに使用する事を特徴とする。下地板を畳床に固着させずに使用する事で、簡単に本来の畳に戻す事が可能になる。
【００１０】
多くの家庭で津波が来るなどの災害が起きた時の対策として救命胴衣などの備えはしていないと思われる。災害発生時、身近にある畳を救命具として使用する事は出来ないだろうか、又、畳に防災グッズの収納が出来る様に加工する事は出来ないだろうか、防災用品として役立たせるには、どの様な加工すれば役立つ畳に変える事が出来るかである。すなわち防災用畳床フロアを提供することを課題とする。
【００１１】
洋室にも畳を使用して頂きたい。今も部屋の一角に置き畳を設置して下さる方は要る。又、洋室を和室に変更して下さる方もいる。使用される方が何を求めているかでも違うが、もっと多くの方に洋室にも畳を使用して頂ける様にするには、どうすれば良いかである。部屋全体に畳を使用して頂くには、多くの方に使いかってが良いと思われ、使ってみたいと思われる畳を製造する事が出来るかである。すなわち洋室に各畳の設置位置及び設置方法を設定せずに使用できる畳床フロアを提供することを課題とする。
【００１２】
使用するクッションフロアなどのシート材の柄は、既製品柄でも良いが、それだけでは、畳を使って洋室にするメリットが、あまり発揮できない。畳の優れている所は、１枚単位で簡単に貼り替えが出来る所である。いろいろな柄を施すことが可能になる畳床フロアで部屋を演出することが出来る。畳床フロアに魅力ある柄及び役に立つ柄を施した畳床フロアを提供することを課題とする。
【課題を解決するための手段】
【００１３】
本願発明の畳床フロアは表面シート材と、釘やネジを使用することが可能な硬い素材が使用された下地板と、畳床とが上からこの順で積層されてなる畳床フロアであって、表面シート材と下地板は貼着されており、前記表面シート材は、前記畳床の少なくとも側面に固定するために、前記下地板と貼着した際に下地板からはみ出した部分を有しており、前記畳床の表面と前記下地板の裏面は固着されていないことを特徴とする。係る構成によれば前記畳床と下地板が固着されていない事で、畳床にダメージは発生しない。よっていつでも簡単に元の畳に戻す事が可能になった。高さの問題も外した下地板を畳の下に敷く事で解決される。今までも畳にシート材を使用される方はいたが、シート材本来の使用方法では使用されていなかった。その為に、シート材には歪みが発生し、強度不足などの問題も発生したが、解決策が見つかることなく今日に至っている。その問題の解決策が、下地板の使用である。シート材本来の使用方法である貼着しての使用が可能となり問題は全て解決された。
また、本願発明の畳床フロアは請求項１に記載の畳床フロアにおいて前記畳床が上から
ボード、発泡素材、ボード、裏シートの四層構造であることを特徴とする。係る構成によ
れば凸凹の出にくい素材で製造されており、下地板を上に乗せて縫着する畳床フロアの製
造に適している。
また、本願発明の畳床フロアは請求項１に記載の畳床フロアにおいて前記畳床が上から
薄板、発泡素材、裏シート、又は、上から裏シート、発泡素材、薄板の三層構造であるこ
とを特徴とする。係る構成によれば畳床が略発泡素材で製造されており、水に浮かせたい
防災畳の製造に適している。
また、本願発明の畳床フロアは請求項１〜３のいずれかに記載の畳床フロアにおいて前記
畳床の裏面に裏面シート材が設けられていることを特徴とする。係る構成によれば裏面シ
−ト材を設ける事で防災グッズの脱落防止に役立てることが可能であり、その他にも裏面シ−ト材の役割はいろいろある。担架としも使用可能であり、防炎シートとしも使用可能であり、畳同士の連結を可能にする道具であり、必要事項記載欄を設けることにも使われその役割は多大である。
また、本願発明の畳床フロアは請求項１〜４のいずれかに記載の畳床フロアにおいて前記畳床の裏面に防災グッズ用収納凹部が設けられていることを特徴とする。係る構成によれば防災グッズ用収納凹部が設けられる事で、災害時必要になるグッズを収納する事が可能になる。これは重要な事である。持ち出し可能な防災畳に笛と懐中電灯を収納しておくことで暗闇にならずに済む。又、笛で助けを呼ぶ事が出来る。更に多くの防災グッズを収納して備えて置く事も可能である。今まで畳にグッズが収納されたことは無いが、下地板が使用されることで畳床に穴を開ける事が可能になり、身近な部屋で使用されている畳は防災グッズの保管場所に最適である。
また、本願発明の畳床フロアは請求項１〜５のいずれかに記載の畳床フロアにおいて前記表面シート材と裏面シート材の少なくともいずれかに防炎加工が施されていることを特徴とする。係る構成によれば表面シート材に防炎加工が施されることで燃えにくい部屋にする事が可能であり、裏面シート材に防炎加工を施す事で避難する時、被る様に使用すれば火の粉から身体を守ることが可能になる。
また、本願発明の畳床フロアは請求項１〜６のいずれかに記載の畳床フロアにおいて  前
記畳床と裏面シート材の少なくともいずれかに把持部を設けたことを特徴とする。係る構
成によれば部屋にある畳に把持部が設けられることで、畳を担架に使用する事が可能とな
りすぐに避難が出来る様になった。災害時などに、担架に使用出来る物を探している時間
は無い。下地板を使用する事で畳床に把持部を設ける加工が可能となり、裏面シート材に
把持部を設ける加工を施す事も可能である。
また、本願発明の畳床フロアは請求項１〜７のいずれかに記載の畳床フロアにおいて前記畳床フロアの所定箇所に必要事項記載欄が設けられていることを特徴とする。係る構成によれば必要事項記載欄を設けることで、身体を守る防災畳を持って避難すると、いろいろな情報も一緒に持ち出す事が可能になる。又、普段から活用出来る情報でもあり、防災畳を災害時以外でも活用可能にした。
また、本願発明の畳床フロアは請求項１〜８のいずれかに記載の畳床フロアにおいて前記畳床の所定位置に畳床を互いに連結するための連結手段が設けられていることを特徴とする。係る構成によれば下地板を厚くすることが可能である畳床フロアによって釘やネジが使用可能となり、ジョイント金具などを使用する事で畳を建てた状態で連結する事が可能となり、避難所などにおいて仕切られたスペースを作ることを可能にした。又、分解をして穴を塞ぐだけで元の畳に戻す事が可能である。よってゴミにはならない。又、元の畳に戻す事は出来ないが、トイレなどを作る事も可能である。ジョイント金具でも粘着テープでも製作は可能である。下地板が蓋の部分として役立つ。裏面シート材を用いて畳同士を連結させる事も可能である。
また、本願発明の畳床フロアに用いる請求項１〜９のいずれか一項に記載の表面シート材であって、その表面に柄が設けられていることを特徴とする。係る構成によれば子供が毎日おもちゃを広げて遊ぶ空間にあいうえおやＡＢＣや九九などの柄を設ける事も可能であり、柄に限定は無く、１枚ずつ違う柄を施す事が可能であり、貼り替えも可能である。今までは既製品の柄を設けることが当然と思われてきたが、１枚単位で施工が可能である畳だからこそできる柄を施す事も可能である。
また、本願発明の畳床フロアに用いる請求項１０に記載の表面シート材の柄に、蓄光剤を設けたことを特徴とする。係る構成によれば、災害などにより突然の暗闇に陥った時に力を発揮する。活用方法にもよるが防災畳に蓄光剤を設けることで出口表示及び防災グッズが収納されていればその旨も表示が可能になり、備えが無駄に成ることなく活用できる。災害時、蓄光剤が設けられていることによって適切な避難誘導が可能になる。
【００１４】
本発明は、畳床を使い和室から洋室に変更する時に使用するクッションフロアなどのシート材に発生する問題を解決させる方法である。問題の解決方法は、クッションフロア本来の使用方法である、床に接着剤を塗りクッションフロアを貼着させる方法を使う。床の変わりとして使用する物が、下地板である。クッションフロアは下地板に貼着させると、歪みが無くなり、ずれて破れる心配も無くなる。又、クッションフロア本来の強度も出る。この方法を使用する事でクッションフロアなどのシート材は本来の使用方法と略同様の使用が可能となる。尚、下地板は畳床に固着させずに使用する事を特徴とする。下地板を固着させずに使用する事で、簡単に本来の畳に戻す事が可能になる。
【００１５】
畳を防災に役立つ防災畳に加工する方法は、いろいろあるが水に因る災害が起きた時に使用したい防災畳に加工する方法は水を吸収しない畳床が適している。限定は難しいが、略発泡素材で出来ている薄板、発泡素材、裏シートで出来た畳床を使用すると水に浮き、救命胴衣ほど優れた物にならなくても救命具として利用できる。紐や掛けベルトやベルトなどを備えておくと身体に装着する事も可能となる。畳の大きさに決まりは無いので、作りたい防災畳で決める。更に表面シート材や裏面シート材などに災害時対処表示を設けることもでき、災害が起きた時、何をすれば良いか、何を備えておくと良いかがわかり、普段から災害対策ができ防災意識も高まる。更に表面シート材に設けられる柄に蓄光剤を使用して部屋に敷かれている畳に出口表示などを施すと明かりが無くても出口が分かり避難に役立つ、更に防災グッズが収納されている場合はその旨も表示する。部屋に敷かれている畳にグッズが収納されている場合は畳を持ち上げやすくする為に紐を付けるなどの加工を施す。畳床フロアには普通の畳には使用されていない下地板が使用されており、身体を守る盾の様な道具としても使える。下地板が使用されている事で収納凹部を作る事が可能となり笛や懐中電灯などの防災グッズを収納しておく事が可能となり助けを呼ぶ道具としても使える。防災畳を防災グッズの収納のために使用する事も可能である。この場合は、ほとんどの畳床が使用可能である。防災グッズを収納する為の穴を開けても、下地板には畳床に開けた穴を塞ぐ効果がある。しかし、下地板の強度には注意が必要である。強度不足だと防災グッズを収納した部分は凹み最悪の場合は穴が開くことになりかねない。更にグッズを収納するために穴を開けた畳床にも補強を施しておく事が必要になる。例えば枠を設ける事も有効な対策になる。防災グッズがガタガタしない様にスポンジや気泡緩衝材や刳り貫いた物などで調整する。刳り貫いた物を蓋に使う方法もあり収納したグッズ名を記載するとわかりやすくなり、上から粘着テープなどを貼るなどの加工を施しておく方法もある。しかし、グッズがガタガタせずに落ちない様に出来れば加工方法は限定されるものではない。裏面シート材を設けると、更に防災グッズの脱落防止に役立ち、更に防災畳に必要事項記載欄を設けると、いろいろな情報を得る事が出来る。設置方法は、例えば裏面シート材にプリントする事も可能であり、裏面シート材にポケットを作りその中に必要事項記載欄のプリントが施された用紙を入れる事も可能である。用紙にするメリットは記載事項の訂正が簡単に行える様になり１枚の記載で必要数コピーする事が可能になる。しかし、コピーのインクには水に滲む物がある為、水に濡れても問題が起こらない様にする必要がある。例えばラミネート加工を施す事も有効な対策になる。更に家族写真を収納しておくと家族を探す時に役立つ。写真も同様に水に濡れても問題が起こらない様にする必要がある。必要事項記載欄の用紙と写真は防災畳と裏面シート材の間に挟む事も可能であり、設置方法は限定されない。更に裏面シート材は、強度のある布など適したものを使用して加工すれば担架としても利用可能となり、防炎加工を施すと防炎シートとしても利用可能となり、更に使用方法は広がる。防炎加工方法としてホウ素系化合物などの薬品によるスプレー加工もあるが業者に依頼をして加工を施す事が好ましい。防炎加工は表面シート材にも施工が可能である。畳全体を燃えにくくすることが可能になる。裏面シート材に決まりは無く用途により大きさ素材を変えて使用する。裏面シート材は面ファスナーなどで防災畳と着脱式に貼着出来る加工を施す事で、裏面シート材をずらして使用すると畳同士の連結にも使用可能になる。更に下地板は厚くすると釘やネジが使用可能となり、例えば畳同士の連結は畳を建てた状態でも行える様になり、更衣室などを作る事も可能となり、間仕切りに使用する事も可能になる。ジョイント金具などを用意しておけば連結は簡単になる。畳が軽量になれば粘着テープで連結が可能になる場合もある。例えば簡易トイレや汚物入れを作る事が可能になる。ジョイント金具などを使用する事も可能であり連結方法はいろいろあり限定する事は出来ない。防災畳は水に浮くものも作れ、下地板が使用されていることで畳床に穴を開ける事が可能となり、防災グッズの収納が出来るものも作れ、畳同士の連結で更衣室などの製作が可能となり、簡易トイレを製作する事も可能にした。更に必要事項記載欄を設ける事でいろいろな情報を畳から得る事が出来る様になり、畳床及び裏面シート材に把持部を設けると担架としても使用可能となり、防炎加工を施す事で部屋全体を燃えにくくすることも防炎シートとしても使用可能となり、裏面シート材でも面ファスナーなどによって畳同士の連結が可能となるなど防災に役立つ加工が施せる事を特徴とする。尚、畳は一枚一枚製作されており、全て同じ加工を施す必要は無い。各畳に違う加工を施し製作する事も可能である。
【００１６】
畳は、使用される方が自由に設置出来る様に製造する事で使い勝手が良くなる。洋室に自由に置ける畳を製造する方法は、部屋の数か所の採寸をして一番短い場所の寸法よりさらに少し小さい寸法を基に巾と丈を略同一サイズにした畳を製造する。略同一サイズに製造すると並べ方が自由になり、重ねて使用する事も可能になる。重ねてベッドやソファーの様に使えば、使わない時に片す場所は不要になる。部屋のサイズより少し小さく製造しているので畳の持ち上げもスムーズに行える。又、隙間が出来る問題は、発泡ゴムなどを挟む事で解決する。洋室に設置する畳は、巾と丈寸法を略同一サイズで製造する事で設置位置及び設置方法に決まりの無い畳にした事を特徴とする。
【００１７】
いつでもそこにある畳にいろいろな柄が施せる様になれば、部屋をいろいろアレンジする事が出来る。例えば、勉強に役立つプリント柄が有れば学習の場所にもなり、発想力が培われる様な柄や、部屋の床がお花畑の様だったらとても楽しい空間となり、柄を蓄光剤でも施せると明かりを消しても楽しい空間が広がる。特に子供とコミュニケーションが取れる場所に出来れば良い。又、防災についてのプリント柄があれば普段から災害が起きた時、どの様な行動をすれば良いかなどの話をする事ができ防災意識が高まる。更に蓄光剤で出口表示や防災グッズ収納表示など、役に立ちそうな表示を施す事も可能になれば、災害時の避難に役立つ畳になる。表面シート材の表面にいろいろな柄が施せる事を特徴とする。
【発明の効果】
【００１８】
畳床にクッションフロアなどのシート材を直貼り出来ない理由は、接着剤等で畳床とクッションフロアなどのシート材を固着してしまうと、剥がす時に畳床の表面がボロボロになり畳床の再利用が出来なくなる。ただ、薄板が使用されている畳床であれば、剥がす時に畳床の表面がボロボロになることは無いので、直貼りが可能になる可能性はある。しかし、床の縫い糸の凹凸が表面に出てしまう。下地板の効果は、畳床の再利用を可能にさせる為の物であり、畳床にある凹凸が表面に出ない様にする為の物でもある。更に、クッションフロアなどのシート材に出る歪みを無くし、本来の強度を持たせる事を可能にした。縁無し畳であれば下地板を厚くする事で強度を増す事も可能となる。クッションフロアなどのシート材を使用する事で、水拭きが出来る様になりペットを飼う事も台所で使用する事も可能になる。更に畳と畳の間の溝をコーキング剤等で埋める事で完全に水の浸み込みを止める事も可能になる。これで、リフォーム工事をしてクッションフロアなどのシート材を貼着させた洋室と略同じ使用が可能になる。尚且つ、畳本来の防音効果と保温効果も兼ね備えている。畳床フロアは、ベースに畳床を使用する事で、部屋を洋室にする事も、和室に戻す事も、いぐさ表の畳と表面シート材を貼着させた畳を１つの部屋にミックスで設置する事も可能にした。
【００１９】
防災畳の効果は、災害が起きた時、部屋にある畳が身体を守る道具に使用出来る事である。畳を防災用品にするメリットとして畳は身近な部屋で使用されており、保管場所を新に作る必要が無い事である。更に災害時対処表示のプリントを施しておくと普段から目にする事で、防災意識も高まりパニックを起こさない様に準備が出来る。更に表面シート材に蓄光剤で出口表示などを施す事も出来る。昨今、竜巻などの被害も出ている。そんな時、防災畳には、下地板などの硬い素材が使用されており飛んできた物から、身体を守る道具としても利用可能である。尚且つ、水に身体を浮かせる道具としても利用可能であり、紐、掛けベルト、ベルトなどを備えておけば、身体に装着する事も可能である。更に笛や懐中電灯などの防災グッズを備えておけば、周囲に助けを呼ぶ道具としても使える。災害が起きてからいろいろな情報をメモする事は困難である。そんな時、防災畳に設けてある必要事項記載欄に予め記載しておけばいろいろな情報を得ることが出来る。尚、畳床と裏面シート材に把持部を設けると担架に加工する事も可能であり、防炎加工を施せば更に使用方法は広がり防炎シートとしても使用可能になり避難の時、被る事も出来る。表面シート材にも防炎加工を施すと部屋全体が燃えにくくなる。更に面ファスナーなどの加工が施されることで防災畳の連結が可能となり、防災畳は防災グッズの収納の為に使う事も可能である。畳床に穴を開けても下地板には穴を塞ぐ効果があり、下地板に強度を持たせ、畳床にも補強を施す事で問題無く使用する事が可能になる。下地板は簡易トイレを制作する事も可能にした。又、下地板は厚くする事で、釘やネジを使用する事が可能になり畳同士の連結も可能になり、ジョイント金具などを備えておけば連結は更に簡単行える様になり、畳を更衣室などに加工する事も可能にした。枚数が有れば広さは自由に作る事が可能になるが倒れない様に工夫と注意が必要になる。切断せずに使用した畳はネジなどを外し、ネジ穴を塞げば畳に戻す事が可能である。今まで畳は、災害が起きた時、避難所の床の上に敷く事でしか利用されなかった。しかし、下地板の使用と裏面シート材を設ける事で防災に役立つ畳にする事を可能にした。
【００２０】
洋室に設置出来る略同一サイズで製造した畳の効果は、工事の必要がなく、部屋の寸法で製造された畳を自由に並べて、気軽に使用して頂く事を可能にした。フローリングより優れた防音効果と保温効果がある畳を、必要な時だけ敷く事も可能であり、必要のない時は、重ねてベッドやソファーの様に使える。これで、使わない時に片す場所は不要になる。ただ、ベッドなどに使う畳を大きくしたい場合は全ての畳を略同じサイズで作ることは不可能になり回りの畳で寸法調整をすることになる。和室の生活に慣れ親しんだ人であれば、ごろ寝がしたくなるはず、そんな時、この畳を使用して頂ければ、板の間と違い保温性に優れた冷たくない場所が出来上がり、ゆっくりごろ寝の楽しめる空間になる。又、防災畳に変更する事も可能である。
【００２１】
表面シート材にいろいろな柄を施す事が可能になると部屋の模様替えの楽しみが増える。又、今までに無かった新しい部屋を体験して頂く事が出来る様になる。特に蓄光剤は楽しい畳にする事も出来るが、出口表示などを施す事に使用する事で明かりが消えた時、暗闇になる部屋では有効な避難誘導になる。しかし、間違えた表示をしたら大変な事になるので確認は重要になる避難誘導などの表示は明かりが有っても見える併用表示にする方が好ましい。表面シート材は、洋室の床より手軽に貼り替えが可能である。
【図面の簡単な説明】
【００２２】
【図１】図１は本発明の畳床フロアを示す斜視図である。
【図２】図２は第１実施形態における畳床フロアの断面図である。
【図３】図３は第１実施形態における畳床フロアの製造方法を示し下地板を切断する      説明図である。（イ）下地板の切断前で下地板は畳床より少し小さくする説明図で      ある。（ロ）下地板の切断後の説明図である。
【図４】図４は第１実施形態における畳床フロアの製造方法を示し下地板に反りがあ      る時の置き方の説明図である。
【図５】図５は第１実施形態における畳床フロアの製造方法を示し縁付き畳に使用す      る下地板の塗布部の説明図である。
【図６】図６は第１実施形態における畳床フロアの製造方法を示し下地板を表面シー      ト材に貼着して畳床に縫着する部分を示した図である。（イ）縁付き畳（ロ）縁無      し畳の角を作る部分１２の加工は仕上がりが決まる重要部分である。（ハ）（イ）      と（ロ）の側面図である。
【図７】図７は第１実施形態における畳床フロア縁無し畳の一部切欠斜視図である。
【図８】図８は第２実施形態における防災畳を作る為に畳床１枚を３等分に切断する      説明図である。
【図９】図９は第２実施形態における防災畳の裏面シート材を貼着する前の底面図で      ある。
【図１０】図１０は第２実施形態における、防災畳の断面図である。
【図１１】図１１は第２実施形態における、防災畳の断面図である。図１０との違い      は８ｂの畳床を裏返しにして使用している。
【図１２】図１２は第２実施形態における、防災畳の斜視図である。
【図１３】図１３は第２実施形態における、図９の防災畳に面ファスナーで着脱式に      貼着する２０裏面シート材の斜視図である。
【図１４】図１４は第２実施形態における、必要事項記載欄の一例の説明図である。
【図１５】図１５は第２実施形態における、壁や椅子などに掛けられる防災畳の斜視      図である。
【図１６】図１６は第２実施形態における、防災畳の椅子の背凭れに設置した斜視図      である。
【図１７】図１７は第２実施形態における、防災畳の壁に設置した斜視図である。
【図１８】図１８は第２実施形態における、畳床に収納凹部を設ける斜視図である。    （イ）畳床に防災グッズを収納する収納凹部を作り、枠を設けた一例である。（ロ）      収納凹部に防災グッズを収納した後、薄板などにグッズの名前を記載して蓋にし        て、とれない様に粘着テープなどを貼った一例である。畳床の補強がこの方法に限      定されているわけではない。
【図１９】図１９は第２実施形態における、（イ）裏面シート材を担架に加工した斜      視図である。（ロ）把持部に棒又はベルト（肩にも掛けられる）を通して担架とし      て使用する説明図である。把持部を取り付ける位置と数はベストな位置に適量とす      る。（ハ）把持部の拡大詳細図である。
【図２０】図２０は第２実施形態における、（イ）簡易トイレと汚物入れを作る為に      切断をする線を引いた斜視図である。（ロ）トイレの平面図（ハ）トイレ側面図      （二）トイレ完成図（ホ）汚物入れ完成図  汚物入れは残りで作る為、枚数が足らな      くなるので縫着糸を取りＢをＣとｄにして使用した。しかし、畳を２枚使用する方      法もある。
【図２１】図２１は本願発明の畳床フロアを洋室に使用する場合の説明図であり、部      屋に合わせて作る置き畳の寸法の出し方である。
【図２２】図２２は本願発明の畳床フロアを洋室に使用する場合の説明図であり、洋      室における畳床フロアを並べ、隙間には発泡ゴムを挟む説明図である。又、防災畳      に変更も可能である一例を示した図である。
【図２３】図２３は本願発明の畳床フロアを洋室に重ねて使用する斜視図と冬は窓際      に立て掛け保温に役立てる事も出来る一例を示した図である。
【図２４】図２４は畳床の詳細断面図である。（イ）第一実施形態の畳床  （ロ）第      二実施形態の畳床  （ハ）第二実施形態の畳床であり、（ロ）の畳床を裏返しにし      て使用する場合の畳床を示す。
【図２５】図２５は畳の各名称と加工前の畳床サイズと素材を示す説明図である。
【発明を実施するための形態】
【００２３】
図１〜図２５にもとづいて本発明の畳床フロアの詳細を説明する。先ず図１〜７に基づいて第１実施形態の畳床フロアについて説明する。表面シート材と下地板と畳床とが上からこの順で積層されてなる畳床フロアであって、表面シート材と下地板は貼着されており、前記畳床と下地板が固着されていないことを特徴とする畳床フロアである。畳床のサイズに合わせて切断した下地板が貼着された表面シート材を畳床の上に置き、表面シート材を引っ張らずに縫着する。これで、表面シート材に歪みが出る事は無くなり、強度にも問題のない畳床フロアの製造を実現した。尚、下地板は畳床に固着されていない事を特徴とする。
【００２４】
畳を洋風化した生活に適応させる為には、ベッド、テーブル、椅子、ピアノなどを置いても凹まない様にすることが求められる。解決策は表面シート材を強度があり凹みの出にくい物を使用する。更に、図７に示す様に縁無し畳にすれば下地板を厚くする事で、強度を増す事が可能になる。しかし、縁付き畳で有っても縁をタッカーなどで付けるのであれば、下地板を厚くする事は可能になる。縁無し畳の場合の下地板の厚さは約２.５ｍｍ〜１０ｍｍを使用する、さらに下地板を厚くすることも可能である。しかし、図３（イ）で示す切断などの加工は大変になる。又２.５ｍｍより薄くて良い素材があれば、それも使用可能である。部屋の全ての畳に強度が必要なければ、１枚単位で変更が可能である。キズが付けばそこの１枚だけの貼り替えも可能である。１枚単位でいろいろ出来る所も畳の優れている所である。
【００２５】
図８〜２０に基づいて第２実施形態の防災畳について説明する。畳を災害が起きた時、役立つ防災用品として製作する。救命胴衣ほど水に対して優れた物にならなくても水に浮くことは可能であり、下地板が使用されている事で身体を守る道具としても役立つ。畳床の素材が薄板、発泡素材、裏シートで作られた物を図１０の様に使用しても良いが、畳床を裏返しにして図１１の様に使用した方が、柔らかい発泡素材が下地板と薄板に挟まれ潰れずに使用出来る。サイズに決まりは無く、今ある畳を撤去して設置する事も可能であり、置き畳として部屋に設置する事も可能である。図１６に示す様に椅子などの背凭れに掛ける事も図１７に示す様に壁に掛ける事も可能である。これならば、学校でも家庭でも場所を選ばず設置が出来る。この場合、表面シート材２のプリント柄は災害時対処表示でも良いが、災害時対処表示は裏面シート材に施す事もでき必要が無ければ施さなくても良い、表面シート材２の柄は絵や写真などの好きな柄をプリントしても良い、例えばアイドルやキャラクターや犬や猫や風景などでも、オリジナルのプリントが施せればそれでも良い。壁に掛ける物はインテリアとして使える様にしても良い。その方が設置して頂きやすくなる可能性はある。子供が使用する物は子供に喜ばれるプリントが好ましい。図１８に示す様に防災グッズを収納する事も可能である。例えば一帖の大きさで使用するといろいろなグッズが収納出来る、畳の厚さが約６ｃｍあると、表面シート材と下地板などを除いたグッズが収納できる部分の厚さは約４ｃｍ〜５ｃｍが想定できる。しかしながら、これらの寸法に限定されるものではない。例えば図１８の様に金槌、釘、ネジ、鋸、ペンチ、バール、ドライバー、カッター、軍手、ラジオ、懐中電灯、粘着テープ、アルミブランケット、マスク、使い捨てカイロ、ビニール袋、ロープ、三角巾、はさみなどを収納する事も、保存食や救急セットや肌着セットなど、グッズは限定されるものではないので必要な物を収納する。しかし、薄い畳にグッズを収納する事は不可能である。逆に置き畳で有れば畳を厚くすることが可能であり、厚みのあるグッズも収納する事が可能になる。防災グッズは畳床に穴を開けて収納する為、穴を塞ぐ役目をする下地板には強度が必要になり、畳床にもグッズを収納する時に枠を作って入れるなど畳床が強度不足にならない様に補強を施す対策が重要になる。対策は枠に限定される訳ではない。又、裏面シート材を担架として使用する時、手で持つことも可能だが、棒が必要な場合は伸縮棒の収納をするか、別の場所に使用する棒を用意して置く事などの準備が必要になる。又、ベルトによる肩掛け使用も可能であり、中央部分にベルトを通し人が落ちない様に固定をする事も可能である。ベルトは長さ調整の出来る物を必要数収納するか、別の場所に使用するベルトを用意して置く事が必要になる。収納グッズについては、必要に応じて決める。防災グッズの収納だけを考えるのであればほとんどの畳床が使用可能である。尚、畳を持ち上げやすくする工夫も必要になる。例えば紐を付けるなどの工夫をする。又、下地板の使用により畳床に穴を開けても問題なく使用する事が可能になったが、下地板の強度には注意が必要である。図１４が示す様に必要事項記載欄を設ける事も、図１９に示す様に裏面シート材を担架に加工する事も可能であり、防炎加工を表面シートに施す事も可能であり裏面シート材に施せば防炎シートになる。又、面ファスナーなどが施された裏面シート材は、ずらして使用すると畳同士の連結も可能になる。尚、畳床フロアは図２０に示す様に簡易トイレと汚物入れを作る事も可能である。しかし、完成させた物を元の畳に戻す事は出来ない。よって、事前に準備出来る事は図面とカッター又は鋸と粘着テープと汚物処理に必要なビニール袋と凝固剤である。
【００２６】
図２１〜図２３に基づいて本願発明の畳床フロアを洋室に設置する場合の置き畳について説明する。畳の巾と丈を略同一に作る事で、一例を示す図２２の様に並べる事も、畳の向きは縦でも横でも好きに並べる事が可能である。尚且つ、畳を防災畳に変更する事も可能である。又、略同一サイズで作る事で重ねて図２３の様な使用が可能になり、冬は窓際に立て掛け部屋の保温に役立てる事も可能になる。しかし、倒れても危なく無い様に注意は必要である。畳には、枚数・厚さ・素材に決まりは無い。畳は、防音効果にも優れており、防音対策にも使用可能である。
【００２７】
畳にダニが発生する事がある。ダニは、畳加熱乾燥機が有れば駆除する事は可能である。しかし、全ての畳店で完備している訳ではない。又、駆除出来たからと言って、これから先もう心配無いとも言い切れない。しかし、全ての畳にダニが発生する訳ではない。極一部の畳に出た問題である。しかし、問題を解決させなければ、益々畳離れが、進んでしまう。この問題も、畳床フロアを使用すれば解決できる。ダニは、いぐさ表や畳床の隙間に潜んでいるが、畳床フロアであればシート材を使用しているのでダニが入る隙間が無い。いぐさの良さを味わって頂け無くなるが、いつでもいぐさの畳に戻す事は可能である。戻す時は下地板を畳の下に敷けば高さも問題なく納まる。
【００２８】
第１実施形態について詳しく説明する。
図１は、本発明の畳床フロア１の斜視図である。下地板４が貼着した表面シート材２を畳床側面に縫着させ製作した縁無し畳である。しかし、畳には、図２５の様に縁付き畳もある。又、大きさも厚さも取付け方法にも決まりは無い。畳床の種類もいろいろあり限定するのは難しいが、凸凹の出にくい素材で一般的に使用されている畳床で上からボード５、発泡素材６、ボード５、裏シート７の四層構造の物、もしくは薄板１９、発泡素材６、裏シート７の三層構造の物が好ましい。畳床は、素材を重ねて、図８で示す１４の糸で縫われ一体化している。下地板４については、面取りが必要な場合は行う。表面シート材２に防炎加工Ｇを施す事も可能であり、畳床８部分に把持部Ｈを設ける事も可能である。
【００２９】
図２は、図１の畳床フロア１の断面図である。表面シート材２と下地板４は貼着されており、畳床８ａとは固着されず、畳床側面に表面シート材２が縫着され一体化している。尚、一体化させる方法は、表面シート材２を畳床の側面又は底面に折り曲げタッカーなどで付ける方法もある。一体化させる方法に決まりは無いが縫着する方法が好ましい。下地板４と畳床８ａを固着しない一番のメリットは、いつでも簡単に元の畳に戻す事が出来る事である。高さの問題も外した下地板４を畳の下に敷く事で解決される。
【００３０】
図３について説明する。下地板の切断説明図である。型取りをして下地板４の切断をするが、畳床８より少し小さくする。大きい所は、鉋などで削る。部屋の寸法よりも下地板４ａの寸法は少し小さくする。少し遊びがないと下地板４ａと下地板４ａに挟まれる表面シート材２が切れるおそれがある。隙間が出来ない様に畳床８と表面シート材２の厚みを利用する。畳の寸法は、１枚の左右でも違う事がある為、右左などの印しを付ける。
【００３１】
図４について説明する。下地板４ａは、なるべく反りの無い物を選ぶ。しかし、反りが有る物は、畳床８の中心部に付く様に置き、表面シート材２を畳床８に縫着する時に下地板４ａが浮かない様に押さえながら縫着する。
【００３２】
図５について説明する。表面シート材２を貼着させる為、下地板４ａに接着剤を塗る。その時、縁付き畳床フロア１は縁り取付け部９とスペース１１には塗らない。下地板全面に接着剤を塗ると縁を縫い付ける時、機械の針に接着剤が付いたり、接着剤がはみ出てきたりする為、乾くまで待つようになる。縁付き畳を作る時の下地板４ａの厚さは約２．５ｍｍとする。しかし、針が通れば厚さに決まりは無い。又、縁をタッカーで付けるのであれば下地板４ａを厚くする事は可能になる。尚、縁無し畳床フロア１の下地板には全面に接着剤を塗る。しかし、人の歩かない壁際の約２〜３ｃｍ接着剤を塗らずに残しておくと、寸法直しが可能になる。
【００３３】
図６について説明する。畳床８に、下地板４ａが貼着された表面シート材２を縫着する。その縫い付け部分の説明図である。（イ）縁付き畳（ロ）縁無し畳  角を作る部分１２の加工方法を説明する。縁無し畳床フロア１の表面シート材２としてクッションフロアを使用する際に気になるのが角を作る部分のクッションフロアの厚みである。これは、クッションフロアの裏に紙を当て、その上からアイロンを当てる事で薄くする事が出来る。温度に注意をして薄くする。アイロンを当てると柔らかくなるので角も作り易くなる。又は、角をカットする方法もある。（ハ）側面図
【００３４】
図７について説明する。本発明の畳床フロア１の一部切欠斜視図である。縁無し畳床フロア１の強度を増す為には、下地板４を厚くする事が必要になる。その時、下地板４をどこまで厚くする事が可能であるかを示した説明図である。１３に示す様に縫い糸３の少し上までは下地板４を厚くする事が可能である。
【００３５】
第２実施形態について先ず図８にもとづいて詳しく説明する。防災用品として役立つ畳を製作する。畳床８ｃを３等分の大きさに切断する。そして、水に浮く防災畳１ａを製作する。畳床は１４で示す糸で縫われて一体化している。ここでは、１枚を３等分にしたが、このサイズに限定されるものではない。大きくする事も、小さくする事も可能である。畳床についても素材に決まりは無いが８ｃの裏シート、発泡素材、薄板の三層構造の畳床が好ましい。なぜなら、５ボード素材を使用している畳床は水を吸収する為、水に浮かせたい１ａ防災畳を製作する時には適さない。
【００３６】
図９について説明する。図９は図８を加工した防災畳１ａである。面ファスナー１８などで裏面シート材２０を貼着させる前の底面図である。防災畳１ａに収納凹部１５を作り（小）１５ａにはＦ笛、（大）１５ｂにはＦ懐中電灯（防水加工がされＬＥＤ電球の物が好ましい。）を収納する。あまり大きくなければ他にも収納凹部１５を作り防水ケースの収納も可能である。（薬などが入れられる。）Ｆ笛とＦ懐中電灯がガタガタしない様にスポンジや気泡緩衝材や刳り貫いた物などを入れて調整する。床に傷が付かない様に裏側に出っ張りが出ない様に注意する。又、出っ張りが出ない様な紐１７なども挟んで置く。又、底面には面ファスナー１８などを付ける。面ファスナー１８などの取り付ける位置と数は適切な位置に適量とする。Ｆ笛もＦ懐中電灯も必要がなければ収納しなくても良いが、必要に応じて決める。（笛と懐中電灯は紐付が良い。また、懐中電灯についてはヘッドライトでも良い。）
【００３７】
図１０について説明する。図１０は防災畳１ａの断面図である。畳床８ｂに、下地板が貼着した表面シート材２を縫着する。しかし、一体化させる方法は他にもあり、貼着が良い場合もある。裏側の収納凹部小１５ａと大１５ｂに収納されている笛と懐中電灯が、脱落しない様にする為に裏面シート材２０は役立つ。この裏面シート材２０には面ファスナー１８などを付け図９に示す防災畳１ａと面ファスナー１８などで着脱出来る様に加工をする。紐１７は表面及び裏面に出っ張りが出ない様に薄い物を使用する出っ張りが出そうであれば発泡素材６部分で調整する。
【００３８】
図１１について説明する。図１１も防災畳１ａの断面図である。畳床８ｃを使用しており、畳床８ｂの裏返しで使用している。普通は畳床８を裏返しで使用する事は無い。しかし、防災畳１ａには下地板４が使用されている為、表面の強度に問題は無い。したがって、裏返しにして使用した方が、柔らかい発泡素材６が下地板４と薄板１９に挟まれる事で潰れにくくなる。畳床８ｃを使用した方が、防災畳１ａには適している。
【００３９】
図１２について説明する。図１２は防災畳１ａの斜視図である。紐１７などを付ける事で身体に装着する事が可能になる。尚、応急手当の方法、災害に遭った時の対処法、伝言ダイヤルの方法、パニックを起こさない為には、どう対処すれば良いかなどの災害時対処表示のプリントを表面シート材２に施す事も可能である。又、子供にも分かる様な絵入りにしてプリントをするのも良い。しかし、災害時対処表示プリントは、裏面シート材２０にする事も可能である為、他の柄をプリントしても良い。表面シート材２の柄については、いろいろなアレンジが考えられる。更に表面シート材２には暗くなると光る蓄光剤１６で防災グッズの収納がある旨などを施した方が良い。
【００４０】
図１３について説明する。図１３は裏面シート材２０の斜視図である。この裏面シート材２０にも、災害時対処表示をプリントする事は可能である。裏側には面ファスナー１８などを付け図９の防災畳１ａの底面と着脱出来る様に加工を施す。面ファスナー１８などの取り付ける位置と数は適切な位置に適量とする。面ファスナー１８などが施された防災畳１ａで有れば何枚でも畳同士の連結が可能となる。図９の防災畳１ａに収納されている笛や懐中電灯などが脱落しない様にする補助の働きもする。防災畳１ａと裏面シート材２０の間に家族写真（ラミネート加工を施すと良い。）を挟んで置くと、家族を探す時に役立つ。しかし、裏面シート材２０の裏側にポケットを設ける場合は必要事項記載欄Ｅや写真などはポケットに収納しても良い。
【００４１】
図１４について説明する。図１４は必要事項記載欄Ｅの一例である。設置方法は、裏面シート材にプリントする事も可能であり、ポケットを作りその中に必要事項記載欄Ｅのプリントが施された用紙を入れる事も可能であり、必要事項記載欄Ｅを設けたノートなどを作り防災畳に収納しておくことも可能である。必要事項記載欄Ｅを防災畳に設けて置く方法はいろいろあり、最善と思われる方法を使う。必要事項とは、避難した時に必要になりそうな事柄で家族全員の氏名、性別、血液型、生年月日、携帯電話番号、メールアドレス、保険証番号、職場の電話番号、学校の電話番号、既往症（現有疾患含む・飲んでいる薬名）飲んでいる薬名が解れば持ち出す事が出来なくても新たに用意する事も出来る、同じ薬が無くても同じ様な効果のある薬を用意する事も本人の意識が無くても家族などが医師に説明も出来る、連絡を取りたい人の電話番号、かかりつけの病院の電話番号、電気会社の電話番号、ガス会社の電話番号、水道局の電話番号、電話会社の電話番号、最寄りの消防署の電話番号、最寄りの警察署の電話番号、最寄りの避難所の電話番号、銀行の電話番号、保険会社の電話番号など他にも必要になりそうな事項を記載する。メールアドレスが解れば合わせて記載する。第三者に見られても問題が無い様に記載する。暗証番号は絶対に記載しない。
【００４２】
図１５について説明する。図１５は防災畳１ａを壁に掛ける事も、椅子などの背凭れに掛ける事も出来る様に加工した一例を示した斜視図である。壁などに掛けられる紐又は金具２３を付ける、掛けベルト２１は長さ調整が出来る様に加工をする。布でもゴムでも適している物を使用する、ベルト２２は身体にも装着出来る様に長さ調整が可能な加工を施す。使用する素材はゴムなど適している物を使用する。掛けベルト２１、ベルト２２などは状況により使い方を変えて使用が出来る。掛けベルトは、通常椅子などに掛けて置く為に使用し、災害時は身体を守る道具として手に持つ事も、水に身体を浮かせる道具として使う時は腕に通し本体を身体の前に持ってくる様に使う。又、後ろに背負う様に使用する事も可能である。（子供を負ぶって避難する時など、子供を守る道具にもなる。表面シ−ト材２にも防炎加工Ｇを施す事は可能である。）
【００４３】
図１６について説明する。図１６は図１５の防災畳１ａを椅子に掛けた斜視図である。ここでは、椅子に掛けた図を示したが座椅子に掛ける事も出来る。又、壁に掛ける事も出来る。サイズは大、中、小などの数種類があると小さい物は初めから子供用として作る事が可能になり、表面シート材２の柄Ｄも子供に喜ばれる柄Ｄを施す事が可能になる。
【００４４】
図１７について説明する。図１７は図１５の防災畳１ａを壁に掛けた斜視図である。壁に掛ける場合は部屋のインテリアとしても使える様に絵や写真など好きな柄Ｄが表面シート材２にプリントされた物の方が設置されやすい。壁に掛ける場合は災害が起きた時にすぐに使用出来る様に手の届く低い位置に設置する様に注意書きを添付するなどの配慮をする方が良い。
【００４５】
図１８について説明する。図１８の（イ）は防災畳１ａの裏側に防災グッズＦを収納した一例を示した図である。グッズを収納する時に枠を作ると畳床の補強になる。枠に限定される訳ではないが、畳床の補強は重要である。（ロ）は、防災グッズＦを収納した後ガタガタしないようにスポンジや気泡緩衝材や刳り貫いたものなどを詰め、畳床から切り取った薄板１９もしくは代わりになる物に収納されているグッズの名前を記載して蓋として戻して取れない様に粘着テープを付けた図である。しかし、名前の記載も自由であり、蓋を透明にするなどの工夫も、ケースなどを収納しておけば自由にグッズが収納できるなど、収納凹部１５にはいろいろな設置の方法がある。粘着テープに限定される訳ではなく防災グッズＦが落ちない様に出来ればよい。
【００４６】
図１９について説明する。図１９は防災畳１ａの裏側に面ファスナー１８などで着脱加工を施した裏面シート材２０を（イ）担架として使用可能となる様に強度のある布などに把持部Ｈを付ける加工をした一例である。しかし、使用される素材は布に限定されることは無い。尚、把持部Ｈを取り付ける位置と数は適切な位置に適量とする。把持部Ｈは手で持て、（ロ）棒やベルトを通しても使用出来る様に布に切り込みなどを入れ（ハ）回りを補強する。又、中心部付近にも人が落ちないようにベルトを通せる様に同様の加工を施す。その一例を示した図である。補強する布の付け方は縫着でも接着剤での貼着でも最適と思われる加工を施す。担架は出来るだけ凹凸がなく薄く加工出来る方が好ましい。更に防炎加工Ｇを施せば防炎シートにもなり更に使用方法は広がる。災害が起きた時の避難の際には火の粉から身体を守る為に防炎シートが必要になる場合も考えられるからである。更に面ファスナー１８などが施された裏面シート材２０と面ファスナー１８などが施された防災畳１ａで有れば何枚でも畳同士の連結は可能となる。
【００４７】
図２０について説明する。図２０は防災畳１ａを汚物収納部Ｕの簡易トイレと汚物入れに加工する一例を示した図である。尚、切断をしてトイレなどに完成させた物を元の畳に戻す事は出来ない。よって、事前に出来る準備は簡易トイレと汚物入れの作り方説明図とカッター又は鋸とメジャーと粘着テープと処理に必要なビニール袋と凝固剤である。防災畳１ａを切断して組み立て粘着テープやジョイント金具Ｉなどで加工する。粘着テープは貼り直しが可能であり、簡単に使用出来る。図（ホ）で示した汚物入れは使用する枚数が足らない時に使える方法を使っている縫着している糸を外す事で２枚になる。又、畳床フロア１でも製作は可能である。
【００４８】
本願発明の畳床フロア１及び１ａを洋室に使用する場合について詳しく説明する。図２１について説明する。畳床フロア１及び１ａを洋室に使って頂く場合の置き畳の寸法の出し方である。部屋の寸法に合わせて製作する為、部屋の数か所で採寸をする。通常の畳は、部屋の柱に合わせて採寸をして畳を作る為、同じサイズにはならない。しかし、自由に並べる事も、重ねて使用する事も出来る様にする為、全て略同一サイズで製作する。この畳の寸法の出し方は部屋の数か所で採寸をして１番小さい所の寸法よりもさらに約１ｃｍ小さくする。小さくする理由は、畳を持ち上げやすくする為である。しかし、歪みのある部屋では、約１ｃｍに限られた寸法では無い。調べ方は、（イ）と（ロ）で示す様に部屋を斜めに測る。略同じであれば部屋に歪みは無い。大きく違う場合は、寸法に合わせて小さくする長さを決める。一例として６帖の部屋を挙げたので、巾Ｗはａ÷３となり丈Ｌはｂ÷２となる。これが、畳１帖分のサイズになる。
【００４９】
図２２について説明する。洋室に使って頂きたい置き畳である。図２１の寸法で製作した畳を並べた説明図であり、図２２の様に並べる事も向きを変えて並べる事も枚数を変える事も自由に出来る。隙間には発泡ゴム２４などを挟む。畳の厚さは約６ｃｍで製作する。しかし、厚さ・大きさ・枚数に決まりはない防災グッズを収納する場合に厚くしたければ厚くすることは可能である。畳床も８ｂ及び８ｃを使用する事も、少し重くなるが、ボード使用の畳床８ａも使用出来る。床に傷が付かない様に裏側に注意する。又、部分的でも全てでも防災畳１ａに変更する事も可能である。
【００５０】
図２３について説明する。洋室に使って頂きたい畳床フロア１を重ねてベッドやソファーの様に使える事を示した説明図である。図２３の様に重ねて使えば片す場所は不要になる。重ねる時は、表と表・裏と裏を付ける様に重ねれば、表面シート材２に縫い糸などの跡が付か無い。重ねた畳がずれない様に滑り止めシートが必要な時は使用する。又、冬は窓際に立て掛けて部屋の保温に役立てる事も可能である。しかし、倒れても窓ガラスや暖房器具など回りに支障がない様に注意する必要がある。
【００５１】
図１の表面シート材２の表面に設けられた柄Ｄの詳細について以下に述べる。表面シート材２にいろいろな柄Ｄのプリントを施す。居間、子供部屋、幼稚園、保育園、子供の遊ぶ待合室、公共施設などいろいろな場所に使って頂きたい畳である。部屋の床は、子供たちが毎日遊ぶ空間でもある。本は手にしなければ見られないが畳ならばいつでもそこにある。表面シート材２の柄Ｄで畳のイメージを変える事が出来れば、若い方にも畳を生活の場に取り入れて頂けるのではないか、それには、今までにはなかった斬新な柄Ｄのプリントが施された表面シート材２を作る必要がある。又、災害時対処表示は、いつでも見える表面シート材２にプリントする事も可能である。
【００５２】
学べる畳の柄Ｄは、例を挙げれば、あいうえおの５０音（書き順は色を変え、１文字ずつ描ける限り絵を描くなど）、アルファベット（解りやすく単語と絵などを書く）、ローマ字、九九の表（どんな計算が出来るかなど）、日本地図（山の高さ、川の長さ、都道府県名など）、世界地図、世界の国旗（国の広さ、人口など載せられる限り）、小１〜６年生までの漢字と漢字の部首の表、ことわざ（意味）、四字熟語（意味）、元素記号、年表など興味がもてる工夫をする。後は動物（体重、身長、寿命など）、犬（種類、大きさ、性格、飼育方法など）、猫、野菜（大きさ、ギネスに載っている重さなど）、魚のいろいろ、昆虫の雄雌など、自動車（働く車、ギネスに載っている車など）、電車（新幹線の最高速度、１両編成の電車など）など見た人に面白いと思ってもらえる様な工夫をする。例えば蓄光剤１６で動物、昆虫、野菜、果物、海の生き物、日本地図と都道府県などの輪郭だけを描くと、明かりを消してなんだろう。クイズが出来る。
【００５３】
楽しい畳の柄Ｄは、例を挙げれば、何処に隠れて居るかな。これを絵にする。森の絵の中に動物を隠す、お花畑や草むらの絵の中に昆虫を隠す、海の絵の中に海の生き物を隠す、都会の絵の中には何が隠れているかな、など。絵本、ゲーム盤はオセロ盤、将棋盤、碁盤など他にもいろいろなゲーム盤、出来る事ならばキャラクター物をプリントするなど、部屋をお花畑にする事も、蓄光剤１６を使い、柄Ｄを施すと明かりを消しても楽しんでもらえる。海を思わせる海星やイルカやヨットを施したり、宇宙をイメージ出来る星を施したり、子供に喜んでもらえる夢のある柄Ｄを施す。そして、和室をわくわくする様な空間に変身させる。もちろん、和室の雰囲気がだせる様な柄や洋室の雰囲気がだせる柄を作ることも重要である。飽きのこない長く使用していただける柄も重要である。例えば竹林であったり、バラであったり、飲食店ではメニューをプリントしたりいろいろな柄が考えられる。又、施主様のオリジナルのプリントが施せれば他にはないたった一枚の畳を作ることも可能である。
【００５４】
災害時対処表示のプリント柄Ｄは、例を挙げれば、１番に自分の身の安全を確保する方法、災害が起きた時いる場所によって安全確保の方法は変わる。出来るだけ多くの対策を記載する。更に２番目に何をするかを順番に記載する。又、応急手当の方法、伝言ダイヤルの方法、備えて置きたい物などをプリントする。蓄光剤１６を使い出口表示を施す事も有効であり、防災畳１ａにグッズの収納が有ればその旨の表示を施す事も暗闇では役立つ重要なポイントである。
【００５５】
部屋の壁に印刷物を貼ると鬱陶しいが、畳にプリントされていれば邪魔にならない。子供は遊んでいるうちに学習する事も出来る。そして、コミュニケーションを取る道具としても使える。飽きたら１枚でも簡単に貼り替えが出来る。１枚１枚をポスターの様に考える使い方もあり、長く使用して頂けるように飽きのこない柄を使用する事も大切である。又、災害時対処表示のプリントがあると普段から目にする事で防災意識が高まる。
【産業上の利用可能性】
【００５６】
大掛かりな工事を必要としない和室のリフォームが可能になる。賃貸物件もお客様の希望を叶えた部屋を提供する時代が来ている。この畳床フロアであればお客様のニーズに部屋を合わせて提供する事が可能になる。ピアノを置く所と寝転がる所の畳を変える事も可能であり、ペットを飼う事も出来る。キズが付いても１枚だけの貼り替えが可能である。
【００５７】
災害が起きた時、１番大切な事はパニックを起こさない事、人は普段は解っている事もパニックになると何をすれば良いか解らなくなる。その時、災害時対処表示を施しておくと、見て、読んで落ち着ければ記載されている様に行動すれば良い。又、笛や懐中電灯などを備える事も可能であり、今ある畳をこの畳に変更すれば邪魔にならずに設置可能である。この防災畳は置き畳にする事も、壁や椅子などに掛けておく事も可能である。身体を水に浮かせる事も可能であり、下地板が使用されており盾の様にする事で身体などを守る道具としても使える。必要事項記載欄を設けて予め記載しておけば、いろいろな情報を得る事も出来る。又、壁や椅子などに掛けて使える防災畳にはオリジナルステッカーなどを作りいろいろ貼り替えができる様にする事が出来れば、自分で手を加える事が出来て、身近な防災グッズになる。防災畳は一帖の大きさで使用する事も可能であり、使用されている下地板を厚くする事で釘やネジが使える様になり畳同士の連結も可能になる。ジョイント金具などを事前に用意しておくと、畳の組み立ては簡単になる。例えば、間仕切りに利用する事も、更衣室などを作る事も可能になる。加工次第で簡易トイレを作る事も可能になる。ただし、処理には凝固剤などが必要になるので予め準備しておく必要がある。裏面シート材は畳の連結にも使用可能であり、強度のある布など適した素材を使用して加工すると担架にもなり、防炎加工を施せば使用方法は更に広がる。畳床に把持部を設ける事も可能であり、表面シート材に防炎加工を施す事も可能である。防災畳は収納凹部に必要な防災グッズを収納する事も可能である。今まで畳は、避難所の床に敷く事でしか利用されなかったが、畳床フロアは防災用品として使用する事も可能であり、１枚単位で必要な加工だけを施すことが可能であり、防災グッズについても必要な物だけを収納する事が可能である。
【００５８】
洋室で生活されている方にも、畳床フロアを防音効果や保温効果などを得る目的で設置して頂ける可能性はある。必要に応じて自由に部屋に並べる事も重ねてベッドやソファーの様にして使用する事も可能である畳床フロアを置き畳として利用して頂きたい、冬は窓際に立て掛けて使用すれば部屋の保温に役立てることも可能であり、防災畳を使用する事も可能である。置き畳で有れば厚さを厚くする事が可能であり、防災グッズの収納部分を増やすことも可能になる。
【００５９】
子供が毎日おもちゃを広げて遊ぶ空間に学べる畳や楽しい畳の柄がプリントされた畳床フロアを設置して頂ければ、遊びながら学習する事が可能である。オムツをしている子供に勉強をしなさいと言うお父さんお母さんは居ません。我が子が、１つ何かが出来る様になるたびに嬉しくなる。自然に子供を褒める。子供も褒めてもらえるとどんどん楽しくなる。そんな学ぶ事が楽しくなるプリント柄を表面シート材に施した畳床フロアを製作する。大切な事は見た人が楽しいと思える工夫のあるプリント柄にする事である。又、飽きのこない長く使用して頂けるような柄を考案する事も重要である。又、災害時対処表示のプリント柄を施す事も可能であり普段から目にする事で災害が起きた時の行動に役立てる事が出来る。シート材を使用する事で蓄光剤が利用可能となり、今までにはなかった新しい感覚の畳を作り出すことが可能となる。
【００６０】
企業の協力が得られれば畳床フロアの可能性は無限大である。クッションフロアなどのシート材の柄は既製品柄でも良いが、身近にある畳をもっと有効に使える工夫を施す事で、１枚単位で施工が出来る表面シート材は、飽きたら貼り替えるポスターの様にいろいろな柄を楽しんでもらう事も可能であり、長く使用して頂く事も可能である。１枚使ってみようかと思って頂ければ、それが、第１歩である。いぐさ表に戻す事も可能であり、気軽にチャレンジが出来る所も今までのリフォーム工事とは違う所である。畳床フロア用プリント柄のカタログが作れればベストである。
【符号の説明】
【００６１】
１      畳床フロア
１ａ    畳床フロア（防災畳）
２      表面シート材
３      畳床に表面シート材を縫着させる縫い糸
４      下地板
４ａ    下地板（畳床フロアに使用する部分）
４ｂ    下地板（切り捨て部分）
５      ボード
６      発泡素材
７      裏シート
８      畳床（いろいろな素材の物が製造されている）
８ａ    畳床（一般的）
８ｂ    畳床
８ｃ    畳床（ｂの裏返し）
９      縁の取付け部
１０    接着剤塗布部
１１    スペース
１２    縁無し畳の表面シート材を折り曲げ、角を作る部分
１３    下地板を何処まで厚く出来るかを示した線
１４    床の縫い糸
１５    収納凹部
１５ａ  収納凹部（小）笛の収納部
１５ｂ  収納凹部（大）懐中電灯の収納部
１６    蓄光剤
１７    紐
１８    面ファスナー  
１９    薄板
２０    裏面シート材
２１    掛けベルト
２２    ベルト
２３    フックに掛けられる様な紐又は金具
２４    発泡ゴム
２５    畳縁（たたみべり）
２６    畳表（たたみおもて）
Ｗ      巾
Ｌ      丈
Ｔ      厚み
Ｄ      柄
Ｈ      把持部
Ｕ      汚物収納部  
Ａ      トイレ又は汚物入れに使う畳床フロアの角部分
Ｂ      トイレ又は汚物入れに使う畳床フロアの角以外の部分
Ｃ      表面シート材付き下地板
ｄ      Ｂの畳床部分
Ｅ      必要事項記載欄
Ｆ      防災グッズ
Ｇ      防炎加工
Ｉ      連結手段
【要約】
【課題】畳がどんどん無くなり、フローリングに変わっていく現状を畳の需要が、また増えてくる様な畳を提案する。
【解決手段】フローリングより魅力のある畳を制作する。もともと畳には、フローリングより優れた保温性があり、防音効果もある。劣る所は、強度と耐水性である。この問題は、畳床フロアで解決出来る。縁無し畳であれば下地板を厚くして表面シート材を強度のある凹みの出にくい物を使用すれば、ピアノなどを置く事も可能になるなど、床にクッションフロアなどのシート材を貼着するのと同じ様な使用が可能になる。さらに優れている所は、１枚単位で変更が可能であり、疵が付いた所だけの貼り替えも可能である。災害時に、役立つ様な加工が可能であり、水に浮く畳にする事も、防災グッズの収納も可能である。下地板と裏面シート材の使用により、今までの畳とは違う使い方を可能にした畳である。
【選択図】図１【図１】
0005466289.tif 000002
【図２】
0005466289.tif 000003
【図３】
0005466289.tif 000004
【図４】
0005466289.tif 000005
【図５】
0005466289.tif 000006
【図６】
0005466289.tif 000007
【図７】
0005466289.tif 000008
【図８】
0005466289.tif 000009
【図９】
0005466289.tif 000010
【図１０】
0005466289.tif 000011
【図１１】
0005466289.tif 000012
【図１２】
0005466289.tif 000013
【図１３】
0005466289.tif 000014
【図１４】
0005466289.tif 000015
【図１５】
0005466289.tif 000016
【図１６】
0005466289.tif 000017
【図１７】
0005466289.tif 000018
【図１８】
0005466289.tif 000019
【図１９】
0005466289.tif 000020
【図２０】
0005466289.tif 000021
【図２１】
0005466289.tif 000022
【図２２】
0005466289.tif 000023
【図２３】
0005466289.tif 000024
【図２４】
0005466289.tif 000025
【図２５】
0005466289.tif 000026